(57)【要約】【課題】操作つまみと筒状パッキンとの間の間隙の寸法を大きくすることが不要で、煮こぼれなどのコンロ本体内への侵入を抑制しつつ、操作つまみを下方に押し操作する際の操作感を良好に保つことが可能なガスコンロを提供する。【解決手段】天板１２には、操作つまみ２５を支持する操作軸２１が挿通され、かつ、空気通路２７となる貫通孔１２ａが形成され、貫通孔には、天板の上面よりも高い位置にまで達する立ち上がり筒部２３を備えた筒状パッキン２２が内嵌され、筒状パッキンが、天板に水密に固定される固定部２４と、固定部から内側方向に延設され、固定部に近い側である基端側２６ｂを変形の支点Ｐとして、上下方向に弾性変形可能に構成された横引き部２６とを備え、立ち上がり筒部２３が、横引き部の、基端側と対向する先端側２６ａに設けられた構成とする。【選択図】図５
2019027607.tif 000002
【特許請求の範囲】
【請求項１】
コンロバーナを備え、上面が天板により覆われたコンロ本体と、
前記天板上に配設された操作つまみを備え、前記操作つまみを下方に押し込みながら所定方向に回す押し回し操作をすることによりコンロバーナの点消火を行う押し回し式の点消火操作部と、を有する上面操作式のガスコンロであって、
前記天板には、前記操作つまみを支持する操作軸が挿通されるとともに、空気通路となる貫通孔が形成され、
前記貫通孔には、上端が天板の上面よりも高い位置にまで達する立ち上がり筒部を備えた筒状パッキンが内嵌され、かつ、
前記筒状パッキンが、前記天板の前記貫通孔に水密に固定される固定部と、前記固定部から内側方向に延設され、前記固定部に近い側である基端側を変形の支点として、上下方向に弾性変形可能に構成された横引き部とを備え、
前記立ち上がり筒部が、前記横引き部の、前記基端側と対向する先端側に設けられていること
を特徴とするガスコンロ。
【請求項２】
前記操作つまみが、平面視で前記筒状パッキンの前記立ち上がり筒部を覆うカバー部を備えているとともに、
前記操作軸に支持された前記操作つまみが押し込まれたとき、前記カバー部が前記立ち上がり筒部と当接するように構成されていること
を特徴とする請求項１記載のガスコンロ。
【請求項３】
前記固定部は、前記固定部から上方に立ち上がる固定部側立ち上がり筒部を備え、前記横引き部が、前記固定部側立ち上がり筒部から内側方向に延設されており、前記変形の支点が、前記横引き部の前記固定部側立ち上がり筒部に近い側である基端側に位置するように構成されていることを特徴とする請求項１または２記載のガスコンロ。
【発明の詳細な説明】
【技術分野】
【０００１】
本発明は、ガスコンロに関し、詳しくは、コンロバーナの点消火を行う押し回し式の点消火装置を備えたガスコンロに関する。
【背景技術】
【０００２】
例えば、ガスコンロの中には、押し回し式の点消火装置によってコンロバーナの点消火を行うように構成されたガスコンロがある。
【０００３】
そのようなガスコンロの１つとして、特許文献１には、天板に、操作つまみを支持する軸部が挿通する透孔を貫通させ、軸部と透孔の周縁との間に環状の空気通路を形成し、透孔には、筒状パッキンを密に内嵌させるとともに、筒状パッキンは、天板よりも上方に延長する延長筒部を有し、かつ、延長筒部の上端近傍に、環状の返し片を外方へ向って張り出させた、操作部防水構造を備えたガスコンロが開示されている。
【０００４】
この特許文献１のように、操作部防水構造を備えた構成とすることで、天板の上面に操作つまみが設けられている上面操作式のガスコンロにおいて、操作つまみの軸部が挿通された透孔から燃焼用空気を取り入れることが可能になるとともに、天板上に溢れた煮こぼれが、透孔からコンロ本体内に浸入することを抑制することが可能になり、有意義である。
【０００５】
なお、天板に操作つまみを配設したガスコンロの場合、一般的に、操作つまみを押し回しする操作によってコンロバーナが点火されるように構成することで、不用意なコンロバーナへの点火を防止することが可能になる。
【０００６】
つまり、操作つまみを回すだけで、ガスコンロが点火され、燃焼を開始するように構成した場合、例えば猫などのペットがガスコンロの操作つまみの周辺を通過するときに、ペットの足などによって操作つまみが回転して、ガスコンロが点火してしまうおそれがあり、危険である。これに対し、操作つまみの押し回し操作によってコンロバーナが点火されるように構成することで、このような危険を回避して、信頼性を向上させることが可能になる。
【０００７】
なお、上述の特許文献１に記載のガスコンロの操作部防水構造においては、天板上に溢れた煮こぼれのコンロ本体内への侵入を抑制するという観点からは、筒状パッキンと操作つまみとの間の間隙は小さい方が好ましい。
【先行技術文献】
【特許文献】
【０００８】
【特許文献１】特開２０１２−７８０７２号公報
【発明の概要】
【発明が解決しようとする課題】
【０００９】
しかし、筒状パッキンと操作つまみとの間の間隙が小さすぎると、押し回し式の操作つまみの場合、操作つまみを押し操作したとき、操作つまみと筒状パッキンとが当接した位置（当接したときの操作つまみの高さ位置）からさらに下方にまで操作つまみを押し操作する際に必要になる押し操作力が急に大きくなることが考えられる。
【００１０】
そして、操作つまみを押し操作する際に、途中で（操作つまみが筒状パッキンに当接した後で）操作つまみを押し操作するのに必要な押し操作力が急に大きくなると、操作つまみを押し操作するときに円滑に操作することができなくなり、操作感が損なわれるという問題点がある。
【００１１】
したがって、特許文献１に記載のガスコンロの操作部防水構造において、操作つまみを押し操作するときの操作感を損なわないようにするためには、筒状パッキンと操作つまみとの間の間隙を大きくすることが必要になる。
【００１２】
しかしながら、筒状パッキンと操作つまみとの間の間隙を大きくすると、天板上に溢れた煮こぼれの、本体ケース内への侵入を抑制することが困難になるという問題点がある。
【００１３】
本発明は、上記の課題を解決するものであり、操作つまみと筒状パッキンとの間の間隙の寸法を大きくすることが不要で、煮こぼれなどのコンロ本体内への侵入を抑制しつつ、操作つまみを下方に押し操作する際の操作感を良好に保つことが可能なガスコンロを提供することを目的とする。  
【課題を解決するための手段】
【００１４】
上記の目的を達成するために、本発明のガスコンロは、
コンロバーナを備え、上面が天板により覆われたコンロ本体と、
前記天板上に配設された操作つまみを備え、前記操作つまみを下方に押し込みながら所定方向に回す押し回し操作をすることによりコンロバーナの点消火を行う押し回し式の点消火操作部と、を有する上面操作式のガスコンロであって、
前記天板には、前記操作つまみを支持する操作軸が挿通されるとともに、空気通路となる貫通孔が形成され、
前記貫通孔には、上端が天板の上面よりも高い位置にまで達する立ち上がり筒部を備えた筒状パッキンが内嵌され、かつ、
前記筒状パッキンが、前記天板の前記貫通孔に水密に固定される固定部と、前記固定部から内側方向に延設され、前記固定部に近い側である基端側を変形の支点として、上下方向に弾性変形可能に構成された横引き部とを備え、
前記立ち上がり筒部が、前記横引き部の、前記基端側と対向する先端側に設けられていること
を特徴としている。
【００１５】
本発明のガスコンロにおいては、
前記操作つまみが、平面視で前記筒状パッキンの前記立ち上がり筒部を覆うカバー部を備えているとともに、
前記操作軸に支持された前記操作つまみが押し込まれたとき、前記カバー部が前記立ち上がり筒部と当接するように構成されていること
が好ましい。
【００１６】
また、前記固定部は、前記固定部から上方に立ち上がる固定部側立ち上がり筒部を備え、前記横引き部が、前記固定部側立ち上がり筒部から内側方向に延設されており、前記変形の支点が、前記横引き部の前記固定部側立ち上がり筒部に近い側である基端側に位置するように構成されていることが好ましい。
【発明の効果】
【００１７】
本発明のガスコンロは上述のように構成されており、天板には、操作つまみを支持する操作軸が挿通され、かつ、空気通路となる貫通孔が形成され、貫通孔には、天板の上面よりも高い位置にまで達する立ち上がり筒部を備えた筒状パッキンが内嵌され、筒状パッキンが、天板に水密に固定される固定部と、固定部から内側方向に延設され、固定部に近い側である基端側を変形（弾性変形）の支点として、上下方向に弾性変形可能に構成された横引き部とを備え、立ち上がり筒部が、横引き部の、基端側と対向する先端側に設けられているので、操作軸に支持された操作つまみが、下方に押し込まれ、操作つまみが筒状パッキンの立ち上がり筒部に当接した後、さらに下方に押し込まれた場合に、横引き部が、その基端側を支点として上下方向に弾性変形（揺動）することにより、操作つまみを下方に押し操作する場合に必要とされる押し操作力を低減して、操作つまみを押し回し操作する際の操作感を向上させることが可能なガスコンロを提供することができるようになる。すなわち、立ち上がり筒部が変形することにより操作つまみが下方に押し込まれるように構成した場合によりも、操作つまみを下方に押し操作する場合に必要とされる押し操作力を低減することが可能になり、操作つまみを押し回し操作する際の操作感を向上させることができる。
【００１８】
なお、本発明において、「操作つまみが下方に押し込まれる」とは、操作つまみを回す（回転させる）ことなく下方に押し操作する場合と、操作つまみを所定の方向に回しながら（回転させながら）下方に押し込む場合の両方を含む概念である。
【００１９】
また、操作つまみと筒状パッキン（の立ち上がり筒部の上端）の間の間隙の大きさを小さくすることができるので、天板上に溢れた煮こぼれが本体ケース内に侵入することを抑制することが可能な信頼性の高いガスコンロを提供することができる。
【００２０】
また、点消火操作部を押し操作しているとき以外、すなわち、通常の調理の際には、操作つまみと筒状パッキン（の立ち上がり筒部の上端）の間に間隙が存在するので、コンロバーナ用の燃焼空気を供給するための通気通路を確保しつつ、煮こぼれが本体ケース内に侵入することを抑制することができる。
【００２１】
また、操作つまみが、平面視で筒状パッキンの立ち上がり筒部を覆うカバー部を備えているとともに、操作軸に支持された操作つまみが押し込まれたとき、カバー部の下面が立ち上がり筒部と当接するように構成した場合、カバー部が立ち上がり筒部の上部開口を覆うことになるため、天板上に溢れた煮こぼれが立ち上がり筒部の上部開口から本体ケース内に侵入することをさらに確実に抑制することが可能になり、本発明をさらに実効あらしめることができる。
【００２２】
また、ホコリや異物などが本体ケース内に侵入することを抑制することが可能になる。  
【００２３】
また、固定部が固定部側立ち上がり筒部を備え、横引き部が、固定部側立ち上がり筒部から内側に延設され、変形の支点が、横引き部の固定部側立ち上がり筒部に近い側である基端側に位置するように構成した場合、横引き部が固定部から内側方向に延設されている場合（すなわち、固定部に直接形成されている場合）に比べて、横引き部が上下に弾性変形しやすくなり、変形の支点が、上述の固定部に近い側である基端側に位置している場合に比べて、操作つまみを下方に押し操作する場合の押し操作力をさらに低減することが可能になり、操作つまみを下方に押し操作する際の操作感をさらに向上させることができる。
【図面の簡単な説明】
【００２４】
【図１】本発明の一実施形態にかかるガスコンロの外観構成を示す斜視図である。
【図２】本発明の一実施形態にかかるガスコンロの点消火つまみ周辺の要部断面図である。
【図３】本発明の一実施形態にかかるガスコンロの点消火つまみを押し操作したときの点消火つまみ周辺の要部断面図である。
【図４】本発明の別実施形態にかかるガスコンロの点消火つまみ周辺の要部断面図である。
【図５】本発明の別実施形態にかかるガスコンロの点消火つまみを押し操作したときの点消火つまみ周辺の要部断面図である。
【発明を実施するための形態】
【００２５】
以下、本発明の実施形態を示して、その特徴とするところをさらに詳しく説明する。
【００２６】
［実施形態］
図１は、本発明の実施形態にかかるガスコンロＡの外観構成を示す斜視図である。
【００２７】
このガスコンロＡは、図１に示すように、３つのコンロバーナ１０（１０ａ、１０ｂ、１０ｃ）を備えた、キッチンカウンターに埋め込まれて設置されるドロップインタイプ（埋め込み型）のガスコンロである。
【００２８】
そして、このガスコンロＡは、コンロ本体２０と、コンロ本体２０の上面の開口を覆う天板１２とを備えている。
【００２９】
本実施形態にかかるガスコンロＡが備える３つのコンロバーナ１０はいずれもブンゼン式のガスバーナであり、２つのコンロバーナ１０ａ、１０ｂは、天板１２の前方側の左右に、天板１２から上方にバーナヘッドが露出するような態様で配設され、残りの１つのコンロバーナ１０ｃは、天板１２の後方に配設されている。なお、各コンロバーナ１０（１０ａ、１０ｂ、１０ｃ）は、それぞれ天板１２から上方にバーナヘッドが露出するような態様で配設されている。
【００３０】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００３１】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出する。
【００３２】
また、天板１２の手前側には、３つのコンロバーナ１０（１０ａ、１０ｂ、１０ｃ）に対する操作、すなわち、点火、消火、炎調節などの操作を行う点消火操作部１５（１５ａ、１５ｂ、１５ｃ）が左右方向に並んで配置されている。
【００３３】
点消火操作部１５（１５ａ、１５ｂ、１５ｃ）はいずれも、下方に押し込みながら所定方向に回す、押し回し操作をすることにより、コンロバーナ１０の点消火や炎調節などを行う押し回し式の点消火操作部である。
【００３４】
なお、点消火操作部１５ａはコンロバーナ１０ａ用の操作部、点消火操作部１５ｂはコンロバーナ１０ｂ用の操作部、点消火操作部１５ｃはコンロバーナ１０ｃ用の操作部である。
【００３５】
このガスコンロＡにおいては、天板１２の奥側に、上述の３つのコンロバーナ１０（１０ａ、１０ｂ、１０ｃ）に一次空気を供給するための吸気口１７が形成されており、この吸気口１７の上方は、吸気口カバー体１６によって覆われている。
【００３６】
なお、このガスコンロＡは、魚などを調理するためのグリルを備えていないが、本発明は、グリルを備えているガスコンロにも適用することが可能である。
【００３７】
＜ガスコンロの特徴的構成＞
上述のように、本実施形態にかかるガスコンロＡは、コンロ本体２０の上面を覆う天板１２上にコンロバーナ１０（１０ａ、１０ｂ、１０ｃ）の点消火を行う押し回し式の点消火操作部１５（１５ａ、１５ｂ、１５ｃ）を備えている（図１）。
【００３８】
また、天板１２上には、各点消火操作部１５（１５ａ、１５ｂ、１５ｃ）の一部を構成する操作つまみ２５（２５ａ、２５ｂ、２５ｃ）が配設されている。
【００３９】
天板１２には、図２、図３に示すように、点消火つまみ２５を支持する操作軸２１が挿通されるとともに、コンロバーナ１０（図１）の燃焼用空気の通路となる貫通孔１２ａが形成されている。
【００４０】
なお、操作軸２１は、ガスバルブケース３０（図２、図３）と連結されており、操作つまみ２５（２５ａ、２５ｂ、２５ｃ）を押し回し操作することで、ガスバルブケース３０の内部に配設されたガスバルブ（図示せず）が開弁して、操作つまみ２５（２５ａ、２５ｂ、２５ｃ）に対応するコンロバーナ１０（１０ａ、１０ｂ、１０ｃ）に燃料ガスが供給されるように構成されている。
【００４１】
このような、押し回し操作式のガスバルブの構成は、周知であることから、本明細書では詳細な説明を省略する。
【００４２】
そして、上述の貫通孔１２ａには、弾性変形させることが可能な材料である合成ゴム製の筒状パッキン２２が内嵌されている。
【００４３】
筒状パッキン２２は、上端が天板１２の上面よりも高い位置にまで達する立ち上がり筒部２３を備えているとともに、天板１２の貫通孔１２ａに水密に固定される固定部２４を備えている。
【００４４】
固定部２４は、固定部２４から上方に立ち上がる固定部側立ち上がり筒部３３を備えているとともに、横引き部２６が、固定部側立ち上がり筒部３３から内側方向に延設されている。すなわち、横引き部２６が、固定部側立ち上がり筒部３３の内側に向かって突出するように固定部側立ち上がり筒部３３と一体的に形成されている。
【００４５】
そして、上述の立ち上がり筒部２３は、その下端が、横引き部２６の先端側２６ａに接続される態様で一体的に形成されている。
【００４６】
すなわち、横引き部２６の固定部側立ち上がり筒部３３側の位置（横引き部２６の基端側２６ｂ）が、変形（弾性変形）の支点Ｐとなり、横引き部２６がその基端側２６ｂを支点Ｐとして上下方向に弾性変形（揺動）するように構成されている（すなわち、変形の支点Ｐが、横引き部２６の固定部側立ち上がり筒部３３に近い側である基端側２６ｂａに位置するように構成されている）。
【００４７】
また、本実施形態にかかるガスコンロＡにおいて、操作つまみ２５は、平面視で筒状パッキン２２の立ち上がり筒部２３を覆うカバー部４１を備えているとともに、操作軸２１に支持された操作つまみ２５が下方に押し込まれたとき、カバー部４１の下面が立ち上がり筒部２３の上端部と当接するように構成されている。
【００４８】
また、カバー部４１の外周部４１ａは、筒状パッキン２２の立ち上がり筒部２３の開口部が存在する上端部よりも下方に位置し、筒状パッキン２２の立ち上がり筒部２３がより確実に覆われるように構成されている。
【００４９】
本実施形態にかかるガスコンロＡは、上述のように構成されていることから、操作つまみ２５が下方に押し込まれ、立ち上がり筒部２３の上端部に当接した状態からさらに下方に押し操作されたとき、横引き部２６は、その基端側２６ｂを支点Ｐとして、上下方向に弾性変形（揺動）するので、下方への押し込み操作を行う場合における操作感が良好なガスコンロを提供することが可能になる。
【００５０】
また、固定部２４が固定部側立ち上がり筒部３３を備え、横引き部２６が、固定部側立ち上がり筒部３３の内周に、固定部側立ち上がり筒部３３と一体的に形成され、変形の支点Ｐが、横引き部２６の固定部側立ち上がり筒部３３に近い側である基端側２６ｂに位置するように構成されているので、横引き部２６が固定部２４から内側方向に延設されている場合（すなわち、横引き部２６が固定部２４に直接形成されている場合）に比べて、横引き部２６が基端側２６ｂを支点Ｐとして、上下に弾性変形（揺動）しやすくなる。
【００５１】
すなわち、本実施形態においては、横引き部２６が、固定部２４よりも変形しやすい固定部側立ち上がり筒部３３に形成されているため、操作つまみ２５を下方に押し操作する場合の押し操作力を低減することが可能になり、操作つまみ２５を下方に押し操作する際の操作感をさらに向上させることができる。
【００５２】
したがって、操作軸２１に支持された操作つまみ２５が下方に押し込まれ、立ち上がり筒部２３の上端部に当接し、さらに下方に押し操作されたとき、横引き部２６が、基端部２６ｂを支点Ｐとして、容易に弾性変形（揺動）し、円滑な操作を行うことができる。
【００５３】
その結果、空気通路を確保しつつ、コンロバーナ１０用の燃焼空気を供給するための通気通路２７を確保しつつ、天板１２上に溢れた煮こぼれがガスコンロ本２０内に侵入することを抑制することが可能で、操作つまみの操作感に優れたガスコンロを提供することができる。
【００５４】
また、筒状パッキン２２が立ち上がり筒部２３を備えているので、操作つまみ２５と筒状パッキン２２の間の間隙Ｇ（図２）の寸法を小さくすることができるので、天板１２上に溢れた煮こぼれがコンロ本体２０内に侵入することをより確実に抑制することができる。
【００５５】
なお、固定部側立ち上がり筒部３３も、天板１２上に溢れた煮こぼれがコンロ本体２０内に侵入することを抑制する機能を果たすので、その高さを適切に設定することにより、天板１２上に溢れた煮こぼれがコンロ本体２０内に侵入することをさらに効率よく抑制することができる。
【００５６】
また、操作つまみ２５が  平面視で筒状パッキン２２の立ち上がり筒部２３を覆うカバー部４１を備えているので、ホコリや異物などが本体ケース内に侵入することを抑制することが可能になる。  
【００５７】
また、カバー部４１の外周部４１ａが、筒状パッキン２２の立ち上がり筒部２３の開口部が存在する上端部をよりも下方に位置し、筒状パッキン２２の立ち上がり筒部２３がより確実に覆われるように構成されているので、天板１２上に溢れた煮こぼれがコンロ本体２０内に侵入することをさらに確実に抑制することができる。
【００５８】
＜別実施形態＞
なお、上記実施形態では、固定部側立ち上がり筒部３３を備え、横引き部２６が固定部側立ち上がり筒部３３の内周に、固定部側立ち上がり筒部３３と一体的に形成されている場合を例にとって説明したが、図４および図５に示すように、固定部側立ち上がり筒部３３（図２、図３）を備えず、横引き部２６が固定部２２４に直接形成された構成とすることも可能である。
【００５９】
なお、この別実施形態のガスコンロＡ’においては、横引き部２６が、固定部２４の上部から内側方向に延設されており、横引き部２６の固定部２４に近い側である基端側２６ｂが変形の支点Ｐとなるように構成されている。
その他の構成は、上記実施形態の場合と同様である。
【００６０】
この別実施形態のように構成した場合も、横引き部２６の固定部２４に近い側である基端側２６ｂを変形の支点Ｐとして、横引き部２６が上下に変形（揺動）するため、操作つまみ２５を下方に押し操作する場合の押し操作力を低減して、操作つまみ２５を下方に押し操作する際の操作感の良好なガスコンロを提供することが可能になる。すなわち、立ち上がり筒部２３が変形することにより操作つまみ２５が下方に押し込まれるように構成した場合よりも、操作つまみ２５を下方に押し操作する場合に必要とされる押し操作力を低減することが可能になり、操作つまみ２５を押し回し操作する際の操作感を向上させることができる。
【００６１】
なお、操作つまみ２５を下方に押し操作する場合の押し操作力を低減する効果は、この別実施形態の構成を備えたガスコンロＡ’の場合よりも、上述の図２、図３に示した実施形態のガスコンロ（固定側立ち上がり筒部３３に横引き部２６を設けたガスコンロ）Ａの場合の方が大きいが、別実施形態の構成を備えたガスコンロＡ’の場合も、実用上十分に、操作つまみ２５を下方に押し操作する際の操作感を向上させることが可能になり有意義である。
【００６２】
なお、上記実施形態および別実施形態では、操作つまみ２５がカバー部４１を備えている場合を例にとって説明したが、カバー部４１を備えていない構成とすることも可能である。
【００６３】
本発明は、その他の点においても上記実施形態に限定されるものではなく、本発明の範囲内において種々の変形を加えることが可能である。
【符号の説明】
【００６４】
Ａ、Ａ’    ガスコンロ
１０（１０ａ、１０ｂ、１０ｃ）    コンロバーナ
１２    天板
１２ａ  天板に形成された貫通孔
１３    五徳
１４    温度センサ
１５（１５ａ、１５ｂ、１５ｃ）    点消火操作部
１７    吸気口
１６    吸気口カバー体
２０    コンロ本体
２１    操作軸
２５（２５ａ、２５ｂ、２５ｃ）    操作つまみ
３０    ガスバルブケース
２２    筒状パッキン
２３    立ち上がり筒部
２４    固定部
２６    横引き部
２６ａ  横引き部の先端側
２６ｂ  横引き部の基端側
２７    空気通路
３３    固定部側立ち上がり筒部
４１    カバー部
４１ａ  カバー部の外周部
Ｐ      変形の支点
【図１】
2019027607.tif 000003
【図２】
2019027607.tif 000004
【図３】
2019027607.tif 000005
【図４】
2019027607.tif 000006
【図５】
2019027607.tif 000007